(57)【特許請求の範囲】
【請求項１】
法面の表側にコンクリートを打設して前記法面を補強する際に使用される型枠のうち、外観面である表側に配置されコンクリートの硬化後もそのまま残存させる木製残存型枠であって、
横方向に延びる第一板材を複数上下に並列させてなる第一パネルと、
上下方向に延びる第二板材を複数左右に離間して並列させてなり前記第一パネルの裏側に重ねられる第二パネルと、
生コンクリートを透過させ難くかつ生コンクリートから分離したノロは透過可能で、前記第二パネルの裏側に重ねられるシート体と、
横方向に延びる第三板材を複数上下に離間して並列させてなり前記シート体の裏側に重ねられる第三パネルと、を備えることを特徴とする木製残存型枠。
【請求項２】
前記複数の第一板材を互いに離間させるとともに、
隣接する前記第一板材間の間隙である第一間隙、及び隣接する前記第三板材間の間隙である第三間隙の高さをそれぞれ合わせ、
前記第一間隙、隣接する前記第二板材間の間隙である第二間隙、及び前記第三間隙が全て重なる箇所を、セパレータを施工するセパレータ孔としたことを特徴とする請求項１に記載の木製残存型枠。
【請求項３】
前記シート体は生分解性の不織布であることを特徴とする請求項１又は２に記載の木製残存型枠。
【請求項４】
前記第一パネル、前記第二パネル、及び前記第三パネルは略等しい大きさであって、
前記第二パネルを前記第一パネル及び前記第三パネルに対して上下方向及び左右方向にずらして、前記第二パネルが前記第一パネル及び前記第三パネルの端部から突出した箇所を凸実とし、前記第二パネルが前記第一パネル及び前記第三パネルの端部から引っ込んだ箇所を凹実としたことを特徴とする請求項１乃至３のうちいずれか一つに記載の木製残存型枠。
【請求項５】
法面の表側にコンクリートを打設して前記法面を補強する際に使用される型枠のうち、外観面である表側に配置されコンクリートの硬化後もそのまま残存させる木製残存型枠であって、
横方向に延びる第一板材を複数上下に並列させてなる第一パネルと、
上下方向に延びる第二板材を複数左右に離間して並列させてなり前記第一パネルの裏側に重ねられる第二パネルと、
横方向に延びる第三板材を複数上下に離間して並列させてなり前記第二パネルの裏側に重ねられる第三パネルと、
生コンクリートを透過させ難くかつ生コンクリートから分離したノロは透過可能で、前記第三パネルの裏側に重ねられるシート体と、を備えることを特徴とする木製残存型枠。
【発明の詳細な説明】
【技術分野】
【０００１】
本発明は、法面の表側にコンクリートを打設して法面を補強する際に使用される型枠のうち、外観面である表側に配置されコンクリートの硬化後もそのまま残存させる木製残存型枠に関するものである。
【背景技術】
【０００２】
山間部や道路脇等の法面には、その法面を補強して土砂災害等を防ぐために表側にコンクリートを打設し、コンクリート擁壁が形成されている。
これらのコンクリート擁壁は山の中に設けられているが、コンクリート剥き出しであるので、自然環境に溶け込むものではなく、美観上適したものとは言えなかった。
【０００３】
そこで、型枠を木で形成して、コンクリート硬化後も取り外さずそのまま残存させる木製残存型枠が開示されている（例えば、特許文献１参照）。
【先行技術文献】
【特許文献】
【０００４】
【特許文献１】特開平９−２１１３９号公報
【特許文献２】特開２０００−２７３８８２号公報
【特許文献３】特開２００１−３５５２４９号公報
【０００５】
このような木製残存型枠は、図９に示すようにコンクリート打設用型枠のうち、特に外観面となる表側に、横方向に延びる木材１を複数上下に並列させたものである。
そして、その木製残存型枠２００の裏側（法面側）に生コンクリートが流し込まれ、コンクリート擁壁が形成される。
【０００６】
この発明によると、外観面に天然木が表れており、コンクリート硬化後もそのまま残存させるので、法面にコンクリート擁壁を形成しても自然環境に溶け込んだ優れた外観となる。
また、間伐材を使用して木製残存型枠２００を形成することで、地域の山林の保護にも繋がり、環境に優しい。
【発明の概要】
【発明が解決しようとする課題】
【０００７】
しかしながら、生コンクリートからはノロと呼ばれる水分が分離するが、そのノロが木製残存型枠２００の表側に滲み出すので、木製残存型枠２００の外観面である表側を汚してしまうという問題がある。木材１間からのノロの滲み出しに加え、木製残存型枠２００と木製残存型枠２００との継ぎ目からも滲み出しもある。
このノロによる表側の汚れを除去することは難しいので、木製残存型枠２００の表側にノロが滲み出すことを防止するしかないが、防水シートを木製残存型枠２００の裏側に貼着したり、継ぎ目をシールしたりしても、ノロの滲み出しを防止することは困難であった。
【０００８】
そこで、本発明の目的とするところは、表側へのノロの滲み出しを低減可能な木製残存型枠を提供することにある。
【課題を解決するための手段】
【０００９】
上記の目的を達成するために、本発明の請求項１に記載の木製残存型枠（１００）は、法面の表側にコンクリートを打設して前記法面を補強する際に使用される型枠のうち、外観面である表側に配置されコンクリートの硬化後もそのまま残存させる木製残存型枠（１００）であって、横方向に延びる第一板材（１１）を複数上下に並列させてなる第一パネル（１０）と、上下方向に延びる第二板材（２１）を複数左右に離間して並列させてなり前記第一パネル（１０）の裏側に重ねられる第二パネル（２０）と、生コンクリートを透過させ難くかつ生コンクリートから分離したノロは透過可能で、前記第二パネル（２０）の裏側に重ねられるシート体（４０）と、横方向に延びる第三板材（３１）を複数上下に離間して並列させてなり前記シート体（４０）の裏側に重ねられる第三パネル（３０）と、を備えることを特徴とする。
【００１０】
また、請求項２に記載の木製残存型枠（１００）は、前記複数の第一板材（１１）を互いに離間させるとともに、隣接する前記第一板材（１１）間の間隙である第一間隙（１２）、及び隣接する前記第三板材（３１）間の間隙である第三間隙（３２）の高さをそれぞれ合わせ、前記第一間隙（１２）、隣接する前記第二板材（２１）間の間隙である第二間隙（２２）、及び前記第三間隙（３２）が全て重なる箇所を、セパレータ（Ｓ）を施工するセパレータ孔（Ｈ）としたことを特徴とする。
【００１１】
また、請求項３に記載の木製残存型枠（１００）は、前記シート体（４０）は生分解性の不織布であることを特徴とする。
【００１２】
また、請求項４に記載の木製残存型枠（１００）は、前記第一パネル（１０）、前記第二パネル（２０）、及び前記第三パネル（３０）は略等しい大きさであって、前記第二パネル（２０）を前記第一パネル（１０）及び前記第三パネル（３０）に対して上下方向及び左右方向にずらして、前記第二パネル（２０）が前記第一パネル（１０）及び前記第三パネル（３０）の端部から突出した箇所を凸実（２５）とし、前記第二パネル（２０）が前記第一パネル（１０）及び前記第三パネル（３０）の端部から引っ込んだ箇所を凹実（２６）としたことを特徴とする。
【００１４】
また、請求項５に記載の木製残存型枠（１００）は、法面の表側にコンクリートを打設して前記法面を補強する際に使用される型枠のうち、外観面である表側に配置されコンクリートの硬化後もそのまま残存させる木製残存型枠（１００）であって、横方向に延びる第一板材（１１）を複数上下に並列させてなる第一パネル（１０）と、上下方向に延びる第二板材（２１）を複数左右に離間して並列させてなり前記第一パネル（１０）の裏側に重ねられる第二パネル（２０）と、横方向に延びる第三板材（３１）を複数上下に離間して並列させてなり前記第二パネル（２０）の裏側に重ねられる第三パネル（３０）と、生コンクリートを透過させ難くかつ生コンクリートから分離したノロは透過可能で、前記第三パネル（３０）の裏側に重ねられるシート体（４０）と、を備えることを特徴とする。
【００１５】
ここで、上記括弧内の記号は、図面および後述する発明を実施するための形態に掲載された対応要素または対応事項を示す。
【発明の効果】
【００１６】
本発明の請求項１に記載の木製残存型枠によれば、生コンクリートを透過させ難くかつ生コンクリートから分離したノロは透過可能で、第二パネルの裏側に重ねられるシート体を備えるので、第二パネル側へはノロだけが滲み出る。
そして、上下方向に延びる第二板材を複数左右に離間して並列させてなり第一パネルの裏側に重ねられる第二パネルを備えるので、滲み出たノロが離間した第二板材間の間隙を伝わって下方に流れる。したがって、木製残存型枠の表側、すなわち第一パネルの表側へのノロの滲み出しを低減でき、木製残存型枠の表側の汚れを防止可能である。
また、第二板材間の間隙は複数存在するので、木製残存型枠を複数継ぎ合わせても第二板材間の間隙からノロが流れ落ち、木製残存型枠同士の継ぎ目からはノロが滲み出ない。
【００１７】
また、請求項２に記載の木製残存型枠によれば、請求項１に記載の発明の作用効果に加え、複数の第一板材を互いに離間させるとともに、隣接する第一板材間の間隙である第一間隙、及び隣接する第三板材間の間隙である第三間隙の高さをそれぞれ合わせ、第一間隙、隣接する第二板材間の間隙である第二間隙、及び第三間隙が全て重なる箇所を、セパレータを施工するセパレータ孔としたので、セパレータ施工のための現場での孔開け作業が不要で、簡便である。
【００１８】
また、請求項３に記載の木製残存型枠によれば、請求項１又は２に記載の発明の作用効果に加え、シート体は生分解性の不織布であるので、施工から長期間を経て第一パネル等が生分解されたとき、シート体も同じように生分解され、自然に負荷が掛かり難い。
【００１９】
また、請求項４に記載の木製残存型枠によれば、請求項１乃至３に記載の発明の作用効果に加え、第一パネル、第二パネル、及び第三パネルは略等しい大きさであって、第二パネルを第一パネル及び第三パネルに対して上下方向及び左右方向にずらして、第二パネルが第一パネル及び第三パネルの端部から突出した箇所を凸実とし、第二パネルが第一パネル及び第三パネルの端部から引っ込んだ箇所を凹実としたので、上下左右に木製残存型枠を継ぎ足すことが容易で、しかも隣接する木製残存型枠同士が面一となる。
【００２１】
また、請求項５に記載の木製残存型枠によれば、生コンクリートを透過させ難くかつ生コンクリートから分離したノロは透過可能で、第三パネルの裏側に重ねられるシート体を備えるので、第三パネル側へはノロだけが滲み出る。
そして、上下方向に延びる第二板材を複数左右に離間して並列させてなり第一パネルの裏側に重ねられる第二パネルを備えるので、滲み出たノロが離間した第二板材間の間隙を伝わって下方に流れる。したがって、木製残存型枠の表側、すなわち第一パネルの表側へのノロの滲み出しを低減でき、木製残存型枠の表側の汚れを防止可能である。
【００２２】
なお、本発明の木製残存型枠のように、第二パネルの裏側にシート体を重ねて、第一パネルの裏側に重ねられる第二パネルの第二板材をそれぞれ左右に離間させる点は、上述した特許文献１には全く記載されていない。
【図面の簡単な説明】
【００２３】
【図１】本発明の第一実施形態に係る木製残存型枠を示す分解斜視図である。
【図２】図１に示す木製残存型枠を示す正面図である。
【図３】図１に示す木製残存型枠を示す側面図である。
【図４】図１に示す木製残存型枠の使用状態を示す側面図である。
【図５】図１に示す木製残存型枠の使用状態を示す要部拡大断面図である。
【図６】本発明の他の実施形態に係る木製残存型枠における第一パネルを示す斜視図である。
【図７】本発明の第二実施形態に係る木製残存型枠を示す分解斜視図である。
【図８】本発明のさらに他の実施形態に係る木製残存型枠を示す分解斜視図である。
【図９】従来例に係る木製残存型枠を示す斜視図である。
【発明を実施するための形態】
【００２４】
（第一実施形態）
図１乃至図５を参照して、本発明の第一実施形態に係る木製残存型枠１００を説明する。
この木製残存型枠１００は、法面の表側にコンクリートを打設して法面を補強する際に使用される型枠のうち、外観面である表側に配置されコンクリートの硬化後もそのまま残存させる木製残存型枠１００であって、第一パネル１０と、第二パネル２０と、シート体４０と、第三パネル３０と、を備える。
【００２５】
第一パネル１０は、横方向に延びる第一板材１１を複数（ここでは五枚）上下に離間して並列させてなるスノコ状である。
また、それぞれの第一板材１１は全て同じ形状である。
そして、隣接する第一板材１１間の間隙である第一間隙１２の幅も全て等しい。
【００２６】
第二パネル２０は、上下方向に延びる第二板材２１を複数（ここでは十枚）左右に離間して並列させてなり、第一パネル１０の裏側（法面側）に重ねられる。
第二板材２１の幅は第一板材１１の幅と等しく、第二板材２１の長さは第一パネル１０の幅と等しい。
また、隣接する第二板材２１間の間隙である第二間隙２２の幅は全て等しく、さらに第二間隙２２の幅と第一間隙１２の幅も等しい。
【００２７】
シート体４０は、生コンクリートを透過させ難くかつ生コンクリートから分離したノロは透過可能な不織布であり、生分解性である。
そして、シート体４０は第二パネル２０の裏側に重ねられる。
【００２８】
第三パネル３０は、第一パネル１０と同一のものである。
すなわち、横方向に延びる第三板材３１を複数（ここでは五枚）上下に離間して並列させてなるスノコ状で、それぞれの第三板材３１は全て同じ大きさである。また、隣接する第三板材３１間の間隙である第三間隙３２の幅もそれぞれ全て等しい。
このような第三パネル３０がシート体４０の裏側に重ねられる。
また、第一板材１１、第二板材２１、第三板材３１は間伐材を原料としている。
【００２９】
ここで、第一パネル１０、第二パネル２０、及び第三パネル３０は略等しい大きさであり、図２に示すように、第二パネル２０を第一パネル１０及び第三パネル３０に対して上下方向及び左右方向にずらして、第一パネル１０、第二パネル２０、シート体４０、及び第三パネル３０を全て重ねた状態で釘Ｎを打って一体物としている。
その第二パネル２０が第一パネル１０及び第三パネル３０の端部から突出した箇所を凸実２５とし、第二パネル２０が第一パネル１０及び第三パネル３０の端部から引っ込んだ箇所を凹実２６とした。
なお、図１においては、第一パネル１０、第二パネル２０、シート体４０、及び第三パネル３０が重なることをわかり易く示すために第二パネル２０をずらさずに示したが、実際には図２や図３に示すように、第二パネル２０がずらされている。
【００３０】
そして、第一間隙１２、第二間隙２２、及び第三間隙３２が全て重なる箇所を、セパレータＳを施工するセパレータ孔Ｈとしてそのまま利用できる（図２、図４参照）。
【００３１】
以上のように構成された木製残存型枠１００によれば、生コンクリートを透過させ難くかつ生コンクリートから分離したノロは透過可能で、第二パネル２０の裏側に重ねられるシート体４０を備えるので、第二パネル２０側へはノロだけが滲み出る。
そして、上下方向に延びる第二板材２１を複数左右に離間して並列させてなり第一パネル１０の裏側に重ねられる第二パネル２０を備えるので、図５に示すように滲み出たノロが離間した第二間隙２２を伝わって下方に流れる。したがって、木製残存型枠１００の表側、すなわち第一パネル１０の表側へのノロの滲み出しを低減でき、木製残存型枠１００の表側の汚れを防止可能である。
このようにノロは第二間隙２２を伝わって下方に流れるので、第一パネル１０が第一間隙１２を有していてもノロが木製残存型枠１００の表側に出てこない。
しかも、第二間隙２２からノロが流れ落ちるので、木製残存型枠１００同士の継ぎ目からもノロが滲み出ない。
【００３２】
また、第一間隙１２及び第三間隙３２の高さをそれぞれ合わせ、第一間隙１２、第二間隙２２、第三間隙３２が全て重なる箇所を、セパレータＳを施工するセパレータ孔Ｈとしたので、セパレータＳ施工のための現場での孔開け作業が不要で、簡便である。
また、シート体４０は生分解性の不織布であるので、施工から長期間を経て第一パネル１０等が生分解されたとき、シート体４０も同じように生分解され、自然に負荷が掛かり難い。
【００３３】
さらに、第一パネル１０、第二パネル２０、及び第三パネル３０は略等しい大きさであって、第二パネル２０を第一パネル１０及び第三パネル３０に対して上下方向及び左右方向にずらして、第二パネル２０が第一パネル１０及び第三パネル３０の端部から突出した箇所を凸実２５とし、第二パネル２０が第一パネル１０及び第三パネル３０の端部から引っ込んだ箇所を凹実２６としたので、上下左右に木製残存型枠１００を継ぎ足すことが容易で、しかも隣接する木製残存型枠１００同士が面一となる（図４参照）。
なお、図６に示すように、間伐材の外表面をそのまま使用して第一板材１１の表側を曲面としてもよい。
【００３４】
（第二実施形態）
次に図７を参照して、本発明の第二実施形態に係る木製残存型枠１００を説明する。なお、第一実施形態と同一部分には同一符号を付した。
本実施形態の第一実施形態との違いは、本実施形態では第三パネル３０を有していないことであり、その他の構成要素に関しては第一実施形態と同一である。
【００３５】
このように第三パネル３０を有していなくても、シート体４０が生コンクリートの流出を抑え、ノロは透過させるので、ノロが第二間隙２２を下方に流れていく。
よって、木製残存型枠１００の表側へノロが滲み出し難い。
【００３６】
なお、第一実施形態における第三パネル３０とシート体４０の位置とを、図８に示すように入れ替えてもノロの木製残存型枠１００の表側への滲み出しを抑制可能である。
【００３７】
また、一枚の木製残存型枠１００における第一板材１１、第二板材２１、及び第三板材３１の各枚数や各大きさは、本実施形態のものに限られるものではない。例えば、必要な強度に伴って、いずれかの厚さを他よりも厚くしてもよい。
また、第一パネル１０は第一板材１１を互いに離間させずに構成されてもよい。また、第一パネル１０は外観面がどのような構成であってもよく、例えば第一パネル１０の外観面をログ調としてもよいし、厚さの異なるものを配したり、タイルパターンが形成されていてもよい。
さらに、本実施形態に係る木製残存型枠１００は法面の表側に配置したが、これに限られるものではなく、外観面となる側面側の型枠として用いてもよい。この場合には、木製残存型枠１００は台形に形成される。
【００３８】
また、第一パネル１０、第二パネル２０、及び第三パネル３０の接合方法は、釘Ｎに限られるものではない。
また、木製残存型枠１００に凸実２５や凹実２６が形成されていなくてよい。
【００３９】
また、シート体４０は不織布に限られるものではなく、主にノロのみを透過させる布体であればよい。
また、第一パネル１０、第二パネル２０、第三パネル３０を間伐材からなるとしたが、これに限られるものではなく、一部又は全部が集成材合板といった他の木質材料であってもよい。さらには鋼等の金属製であってもよい。
【００４０】
また、この木製残存型枠１００は法面の擁壁の建築に使用されるだけでなく、他のコンクリート構造物にも使用可能である。
【符号の説明】
【００４１】
１      木材
１０      第一パネル
１１      第一板材
１２      第一間隙
２０      第二パネル
２１      第二板材
２２      第二間隙
２５      凸実
２６      凹実
３０      第三パネル
３１      第三板材
３２      第三間隙
４０      シート体
１００      木製残存型枠
２００      木製残存型枠
Ｈ      セパレータ孔
Ｎ      釘
Ｓ      セパレータ
【図１】
0006475971.tif 000002
【図２】
0006475971.tif 000003
【図３】
0006475971.tif 000004
【図４】
0006475971.tif 000005
【図５】
0006475971.tif 000006
【図６】
0006475971.tif 000007
【図７】
0006475971.tif 000008
【図８】
0006475971.tif 000009
【図９】
0006475971.tif 000010